(57)【要約】      （修正有）【課題】人体に装着したときにバストを持ち上げると共に、バストを中央部に寄せることにより、パネルを安定させ、より美しいシルエットを追求し、腕の動きに影響されることなくバストに偏った圧力を与えず、バストを美しく保つようにした衣服を提供する。【解決手段】前身頃１、後身頃２、脇布３、バストアップパネル７とにより構成し、前記バストアップパネルは夫々の先端を先細状にして互いに交差してその先端を前身頃の上部或いは前身頃に位置する土台部或いは切り替え部５に止着して縫い合わせたことを特徴としている。【選択図】図７
0003168486.tif 000002
【実用新案登録請求の範囲】
【請求項１】
前身頃と後身頃と左右両側に位置する脇布とこの脇布に亘って橋架せるカップ部と同じく前記脇布の対向位置に取り付けられた帯状のバストアップパネルとより構成し、前記バストアップパネルは夫々の先端を先細状にして互いに交差してその先端を前身頃の上部或いは前身頃の上部に位置する土台部或いは切り替え部に止着したことを特徴とせるカップ寄せ部材を備えた衣服。
【請求項２】
前記バストアップパネルは、左右の中央部位置で、互いにフリーな状態で交差したことを特徴とせる前記請求項１記載のカップ寄せ部材を備えた衣服。
【請求項３】
前記バストアップパネルは、伸縮性布地からなる前記請求項１乃至２記載のカップ寄せ部材を備えた衣服。
【考案の詳細な説明】
【技術分野】
【０００１】  本考案は人体に装着したときにバストを持ち上げると共に、バスとを中央に寄せることにより、パネルを安定させ、より美しいシルエットを追求し、腕の動きに影響されること無くバストを美しく保つようにしたカップ寄せ部材を備えた衣服に関する。
【背景技術】
【０００２】  従来から知られている一般的なボディシェーバーなどのインナー、キャミソールなどのアウターは、女性の胸のシルエットを美しく醸し出すためにブラジャー機能のカップとは別にバストアップパネルを装着してバストをアップする効果を考えてきたものが提唱されている。例えば特願−２００５−２８１９２０があげられる。【０００３】  また、前述のサイドパネルを前中心部で繋ぎバストを中心方向に寄せる効果を期待したものとして、特願２００７−３２１２４９、特願２００５−２０６９４９が挙げられる。
【考案の開示】
【考案が解決しようとする課題】
【０００４】  上記従来技術のカップ寄せ機能を備えた衣服は人体に装着したときには、バストをアップするためにバストを中央に寄せる効果が期待できても、アップさせる効果が乏しく、また装着時に腕の上下運動によりサイドパネル自体も大きく動いてしまい、その効果が極めて弱いものとなっていた。【０００５】  例えば、右手を上にあげたときには、右カップ全体が上方に引っ張り上げられ、カップの周囲に縫い込まれているサイドパネル自体も大きく動いてしまい、サイドパネルのバストを寄せる力が弱まっていた。【０００６】  本考案はこのような課題を解決し、バストを持ち上げる効果と中央に寄せる効果とを兼ね備え、更にその効果を持続させることが出来るようにしたものである。
【課題を解決するための手段】
【０００７】  本考案は、前身頃と、後身頃と、左右両側に位置する脇布と、前記脇布の対向位置に取り付けられた帯状のバストアップパネルとより構成し、前記バストアップパネルは夫々の先端を先細状にして互いに交差してその先端を前身頃の上部或いは前身頃に位置する土台部或いは切り替え部に止着したことを特徴としている。【０００８】  更に、前記バストアップパネルは、左右の中央部位置で、互いにフリーな状態で交差したことを特徴としている。【０００９】また、前記バストアップパネルは、伸縮性布地であることを特徴としている。
【考案の効果】
【００１０】  本考案のカップ寄せ部材を備えた衣服は、衣服装着時、腕を上方にあげてカップ全体が持ち上がっても、バストアップパネルは互いにＸ字状に交差しているので、上方に引っ張られる上げる作用が無く、本来のバストアップ機能を保つことができる。【００１１】  更に、本考案は、バストアップパネルを左右夫々フリーな状態で交差するようにしているので、左右の腕が夫々単独に動作しても他のバストアップパネルに影響を及ぼすことがなく、バストに異常な圧力の加わる恐れが無い。【００１２】  また、本考案は、バストアップパネルを伸縮性布地より構成しているので、バストに対して均一な圧力が働き長期装着による疲労等の悪影響を防ぐことができる。
【考案を実施するための最良の形態】
【００１３】  本考案のカップ寄せ部材を備えた衣服を、図１乃至図１３に基づいて説明する。
本考案に係る衣服とは、図面に示す通り、ボディシェーパー、ボディスーツ、キャミソール、スリーインワンなどのインナー及び、キャミソール、タンクトップ、Ｔシャツなどのアウターを対象とする。【００１４】  本考案は、前記インナー、アウターの共通点について主体的に説明を行う。
１は前身頃、２は後身頃、３、３は左右両側に位置する脇布、４，４は肩紐でこれらによりより本考案の主体部を構成し、前記肩紐は前記脇布を延長してこれと一体に作っても良い。【００１５】  前記前身頃１の上辺中央部には逆三角形状の切り替え部５と、前記脇布３，３を結ぶ前方位置にカップ部６，６を設け、これらカップ部の先端下方部分に前記切り替え部５を接合して縫い合わせるようにしている。この場合、カップ部の対向部分は特に止め合わせることを必要としない。【００１６】７，７は、バストアップパネルであって、前記脇布３，３の下方対向位置に縫い合わされており、内側に延びるその先端を先細状にして、夫々がＸ字状になり夫々がフリーに交差し先端を前身頃１の上辺部或いは切り替え部５或いは、他の実施例に示される土台部８に縫い合わされて縫い付けられる。このパネル７，７は共に伸縮性を有する生地を用いると有効性を発揮する。【００１７】  図４，図５はニッシェーパーであって、前身頃１は上方に延びて脇布３，３を一体となり、この脇布より互いに向き合う方向にバストアップパネル７，７を設け、これら先端を切り替え部５に縫い合わされる。前身頃、後身頃の下方部分には止め布９を設けており、ホック状にして契脱自在にしてもよく、予め縫い合わされても良い。【００１８】  図４，図５には、特にバストアップパネルを用いていないが本考案の必須要件としないので、これを省略している。【００１９】  図９，図１１はボディーシェーパー、タンクトップを示しており、前身頃１の上辺には下辺ゴム１０、土台部８を設けこの土台部８にバストアップパネル７，７の下先端部が止着される。【００２０】図９及び図１１のＡ−Ａ断面、及びＢ−Ｂ断面は、図１２、図１３に示しており、前身頃１、カップ部６、下辺ゴム１０、土台部８、バストアップパネル７が配置され、特にバストアップパネル７はカップ部６の内側にあって縫いつけしない状態でフリーとなっている。
【図面の簡単な説明】
【００２１】
【図１】本考案による衣服の斜面図
【図２】同じく人体に着用時の斜面図
【図３】図１による衣服の裏側の斜面図
【図４】本考案による他の実施例の正面図
【図５】同じく図４の裏側の図
【図６】本考案の他の実施例の正面図
【図７】同じく図６の裏側の図
【図８】本考案の他の実施例の正面図
【図９】同じく図８の裏側の図
【図１０】本考案の他の実施例の正面図
【図１１】同じく図１０の裏側の図
【図１２】図９のＡ−Ａ断面図
【図１３】図１１のＢ−Ｂ断面図
【符号の説明】
【００２２】１      前身頃
２      後身頃
３、３  脇布
４，４  肩紐
５      切り替え部
６，６  カップ部
７，７  バストアップパネル
８      土台部
９      止め布
１０    下辺ゴム
【図１】
0003168486.tif 000003
【図３】
0003168486.tif 000004
【図２】
0003168486.tif 000005
【図４】
0003168486.tif 000006
【図５】
0003168486.tif 000007
【図６】
0003168486.tif 000008
【図７】
0003168486.tif 000009
【図８】
0003168486.tif 000010
【図９】
0003168486.tif 000011
【図１０】
0003168486.tif 000012
【図１１】
0003168486.tif 000013
【図１２】
0003168486.tif 000014
【図１３】
0003168486.tif 000015